(57)【要約】      （修正有）【課題】水耕栽培もしくは養液栽培に用いられる養液を保持する養液保持体であって、複数の養液保持体を一体化して容易に、かつ簡易に養液の管理を行うことを可能とする養液保持体を提供する。【解決手段】水平位置に配置した複数の養液保持体の側面部もしくは底面部に養液を流すことができる連通管を形成する。【選択図】図１
0003178646.tif 000002
【実用新案登録請求の範囲】
【請求項１】
水耕栽培もしくは養液栽培の養液を保持する養液保持体であって，水平位置に配置した複数の該養液保持体について，連通管を形成したことを特徴とする連通管を有する養液保持体．
【請求項２】
養液保持体の底と連通管の穴の下端部が５ｍｍ以上２０ｍｍ以下の位置に形成されていることを特徴とする請求項１に記載の連通管を有する養液保持体．
【請求項３】
水耕栽培もしくは養液栽培の養液を保持する養液保持体であって，水平位置に配置した複数の該養液保持体について，複数の連通管を形成したことを特徴とする連通管を有する養液保持体．
【考案の詳細な説明】
【技術分野】
【０００１】  本考案は、水耕栽培もしくは養液栽培に用いられる養液を保持する養液保持体に関するものであって，複数の養液保持体の間を連通管によって接続することによって，複数の養液保持体を一体化して養液の管理を行うことを可能とする，連通管を有する養液保持体に関するものである．
【背景技術】
【０００２】  水耕栽培もしくは養液栽培は，代表的な施設栽培であって，ハウス施設栽培や植物工場などの基本的な技術として活用されている．これらの水耕栽培もしくは養液栽培設備では，植物の栽培に必要な養分を，養液として与えることになる．一般には，養液保持体は該養液を蓄えて植物を生育させるために，該養液を流すための流路として形成される．もしくは，ある面積をもった養液貯留体として形成される事例が多い．これらの養液を蓄えた，もしくは養液が流れる構成の養液保持体の上部に栽培すべき植物を保持し，該植物を育てるのである．【０００３】  水耕栽培もしくは養液栽培では，植物に光を照射して育成する．この光として，太陽光を用いるのであれば，できるだけ広い面積を確保し，できるだけ太陽光を活用する事が適切である．しかしながら，このような広い面積を確保し，養液を保持する等の施設を建設することは，施設建設の投資として莫大になる可能性がある．【０００４】  水耕栽培もしくは養液栽培において，植物を栽培するための養液保持体を立体的に構築することによって，単位面積当たりの栽培量を劇的に増大させることができる．この場合では，植物の育成に必要な光は，人工的に発生させ，植物の生育に活用されることが求められる．【０００５】  水耕栽培もしくは養液栽培において，養液保持体を立体的に構築した場合では，養液の流れる経路，もしくは貯留体について立体的に配置される．このような養液保持体では，その内部に貯留もしくは流れる養液を，ポンプ等を使って立体的に構築された最上段の養液保持体移送する．その後，サイホンを使用して最上段の養液を一つ下段の養液保持体に移動させる．さらに，また，その貯留した養液をさらに一つ下段の養液保持体に移送する．このように順次サイホンを使用して移送し，最下段の養液保持体もしくは養液貯留用タンクに移送するのである．
【考案の開示】
【考案が解決しようとする課題】
【０００６】  立体的に構成された水耕栽培もしくは養液栽培施設では，植物の生育に必要な光を蛍光灯のような発光装置に依存することになる．特に蛍光灯では，技術的熟成度，工業生産による安定性，供給の安定性など，水耕栽培用の光源として優れた特性を持っている．このため，蛍光灯を活用した立体構成された水耕栽培施設では，蛍光灯の長手方向に沿って栽培植物を並べる構成とすることが効率的である．【０００７】  既述の蛍光灯を用いた立体構成された水耕栽培もしくは養液栽培施設では，蛍光灯の長方向に沿って栽培する野菜を並べるために，養液保持体の形状もまた蛍光灯の長手方向に沿った構成とする事が好ましい．このような効率的な立体構成された水耕栽培施設もしくは養液栽培用養液保持体では，長い雨樋のような構成とすることが効率的である．【０００８】  該水耕栽培もしくは養液栽培施設では，立体的に並べられた雨樋のような養液保持体について，その一部，例えば端部においてサイホンを設置して養液を移送する構成とすることが好ましい．このような構成は，光源である蛍光灯の光を最大限に活用する極めて効率的な構成である．【０００９】  該雨樋のような養液保持体を並べて設置した水耕栽培もしくは養液栽培施設では，それぞれの雨樋形状の養液保持体について，ポンプにより養液を移送するシステムを設置する必要がある．これらのポンプは，水耕栽培施設を構成する構成品としては高価な資材であり，それぞれの養液保持体毎に１台設置するのであれば，初期の投資費用が大きなものにならざるを得ないという大きな課題を抱える．【００１０】  水耕栽培もしくは養液栽培施設を活用した野菜栽培施設では，優れた野菜を無農薬で，連続して，効率的に栽培することが可能であるにもかかわらず，その初期の設備投資が過大となって生産性に大きく影響してしまっている．また，ポンプのような機械駆動が必要な施設について，養液保持体毎に設置したのであれば日常的な運転にかかるエネルギー費用，すなわち電気代も大きな割合を示すものとなる課題をかかえている．養液保持体を立体的に構成し，その構成された格段における養液保持体の間を，サイホンを使って順次移送させる方式の養液栽培施設とすることにより，間欠的なポンプの駆動に抑制することができるが，さらに運転費用を削減することが課題点である．
【課題を解決するための手段】
【００１１】  本考案は，以上の課題を解決するために鋭意検討を行って考案されたものであって，上記の課題を解決するものである．課題を解決するために，雨樋に類似した形状に構成された養液保持体について，該養液保持体の複数を連通管にて連結したことを特徴とする．【００１２】  該雨樋類似形状の養液保持体を連通管で連結することにより，複数の養液保持体の間の養液水位が概略同レベルに維持される．この連通管の機能により，それぞれの養液保持体毎に設置されていたポンプシステムについて，連通管で一体運用可能となるモジュールに１台を設置することで対応可能となるのである．【００１３】  本件考案により構成された，雨樋に類似した形状に構成された養液保持体について，該複数の養液保持体を連通管にて連結したことを特徴とする，連通管を有する養液保持体により，本件課題を解決するものである．【００１４】  請求項１に記載されている考案は，水耕栽培もしくは養液栽培の養液を保持する養液保持体であって，水平位置に配置した複数の該養液保持体について，連通管を形成したことを特徴とする連通管を有する養液保持体であり，該課題を解決するものである．【００１５】  請求項２に記載されている考案は，水耕栽培もしくは養液栽培の養液を保持する養液保持体であって，水平位置に配置した複数の該養液保持体について，複数の養液保持体の底と連通管の穴の下端部が５ｍｍ以上２０ｍｍ以下の位置に形成されていることを特徴とする連通管を有する養液保持体であり，該課題を解決するものである．【００１６】  請求項３に記載されている考案は，水耕栽培もしくは養液栽培の養液を保持する養液保持体であって，水平位置に配置した複数の該養液保持体について，複数の連通管を形成したことを特徴とする連通管を有する養液保持体であり，該課題を解決するものである．
【考案の効果】
【００１７】  本考案により実施された，水耕栽培もしくは養液栽培の養液を保持する養液保持体であって，水平位置に配置した複数の該養液保持体について，一つの連通管もしくは一つ以上の連通管を形成したことを特徴とする連通管を有する養液保持体，もしくは，複数の養液保持体の底と連通管の穴の下端部が５ｍｍ以上２０ｍｍ以下の位置に形成されていることを特徴とする連通管を有する養液保持体により，該複数の養液保持体が一体化され，一つのポンプおよび一つのサイホンにより養液を移送することができる．【００１８】  本考案により形成された連通管を有する養液保持体を立体的に配置した水耕栽培施設では，立体的に配置された複数の段における養液の移送を１台のポンプ，および一台のサイホンにより実施することができる結果として，ポンプの使用台数，およびサイホンの使用台数を大幅に削減可能となる．【００１９】  本考案の効果として，水耕栽培もしくは養液栽培施設を構成する資材の量を削減することができ，その結果として，施設の製造費用の大幅な削減，低下が可能となる．また，ポンプの動作に必要である電力使用量の削減が可能となり，水耕栽培で生産される野菜の製造コスト低減の効果を発揮する．
【考案を実施するための最良の形態】
【実施例１】
【００２０】  本考案の好適な実施の一例を図１に示す．実施例１は，連通管により連結された一体化養液保持体１００である．一体化養液保持体１００は，３列に構築された雨樋類似形状の養液保持体１０１を，本考案による連通管１０２を使って相互につなぐことを特徴とする．本考案による連通管１０２は，エルボー１０３およびＴ字管１０４とエルボー１０３とＴ字管１０４をつなぐ連結管１０５より構成される．本考案による連通管１０２の太さは，養液保持体１０１の容量によって適宜選択される．連通管１０２が細いのであれば，養液保持体１０１の養液水位が一致しなくなる可能性を含むものである．連通管１０２を十分な太さに設定することにより，複数の養液保持体１０１の養液水位が均等になる．もしくは，連通管１０２を２以上の複数設置することにより養液水位の差異を抑制することができる．本実施例１では，ＶＰＷ２０を使用した．
【実施例２】
【００２１】  本考案の別の好適な実施の一例を図２に示す．実施例２は，横面部に連通管を設置して連結された一体化養液保持体２００である．一体化養液保持体２００は，３列に構築された雨樋類似形状の養液保持体２０１を，本考案による連通管２０２を使って相互につなぐことを特徴とする．本考案による連通管２０２は，柔軟性を有する材料により形成された管状のものであり，養液保持体２０１を相互に連結する．本考案による連通管２０２は，柔軟な形状であるため，一体化養液保持体２００の設置において比較的容易に配置することができる．また，本考案の連通管２０２では，養液保持体２０１の横面部に連通管２０２を形成するため，太い連通管を形成することができる．これにより，一体化養液保持体の養液水位を相互に一定に保持することが可能となる．本実施例２では，５０ｍｍΦのプラスチック製フレキシブルチューブを使用した．
【実施例３】
【００２２】  本考案の好適な実施の一例を図３に示す．実施例３は，連通管により連結された一体化養液保持体３００である．一体化養液保持体３００は，３列に構築された雨樋類似形状の養液保持体３０１を，本考案による連通管３０２を使って相互につなぐことを特徴とする．実施例３の本考案による連通管３０２は，養液保持体３０１底面部に接続して構成されたものである．本考案による実施例３の連通管３０２は，エルボー３０３およびＴ字管３０４とエルボー３０３とＴ字管３０４をつなぐ連結管３０５より構成される．本考案による連通管３０２の太さは，養液保持体３０１の容量によって適宜選択される．連通管３０２が細いのであれば，養液保持体３０１の養液水位が一致しなくなる可能性を含むものである．連通管３０２を十分な太さに設定することにより，複数の養液保持体３０１の養液水位が均等になる．もしくは，連通管３０２を２以上の複数設置することにより養液水位の差異を抑制することができる．本実施例３では，ＶＰＷ２０を使用した．
【産業上の利用の可能性】
【００２３】  本考案は，水耕栽培もしくは養液栽培に用いられる養液を保持する養液保持体に関するものであって，複数の養液保持体の間を連通管によって接続することによって，複数の養液保持体を一体化して養液の管理を行うことを可能とする，連通管を有する養液保持体に関するものである．本考案を活用することにより，水耕栽培もしくは養液栽培などの技術を活用した植物栽培施設や植物工場などの施設において，養液保持体を効率的に管理することが可能とするものである．本考案により，養液を管理するための資材などを効率的に活用することができ，かつ，設備コストを低減することを可能とするものであり，本考案は，きわめて広い水耕栽培および養液栽培等の産業分野において活用可能であり，産業的に広く利用されるものである．
【図面の簡単な説明】
【００２４】
【図１】本考案の一実施形態に係わる複数の養液保持体を連通管により一体化した一体化養液保持体を説明する説明図である．
【図２】本考案の異なる一実施形態であって，複数の養液保持体を連通管により一体化した一体化養液保持体を説明する説明図である．
【図３】本考案の異なる一実施形態であって，複数の養液保持体を連通管により一体化した一体化養液保持体を説明する説明図である。
【符号の説明】
【００２５】１００  一体化養液保持体
１０１  養液保持体
１０２  連通管
１０３  連通管を構成するエルボー
１０４  連通管を構成するＴ字管
１０５  連通管を構成する連結管
２００  一体化養液保持体
２０１  養液保持体
２０２  連通管
３００  一体化養液保持体
３０１  養液保持体
３０２  連通管
３０３  連通管を構成するエルボー
３０４  連通管を構成するＴ字管
３０５  連通管を構成する連結管
【図１】
0003178646.tif 000003
【図２】
0003178646.tif 000004
【図３】
0003178646.tif 000005
【手続補正書】
【提出日】平成24年7月6日(2012.7.6)
【手続補正１】
【補正対象書類名】実用新案登録請求の範囲
【補正対象項目名】全文
【補正方法】変更
【補正の内容】
【実用新案登録請求の範囲】
【請求項１】
水耕栽培もしくは養液栽培の養液を保持する水槽もしくは栽培槽である養液保持体であって，水平位置に配置した複数の該養液保持体について，該養液保持体の側面部もしくは底面部に養液を流すことができる連通管を形成したことを特徴とする連通管を有する該養液保持体．
【請求項２】
養液保持体の底と連通管の穴の下端部が５ｍｍ
0003178646.tif 000006
特徴とする請求項１に記載の連通管を有する養液保持体．
【請求項３】
水耕栽培もしくは養液栽培の養液を保持する水槽もしくは栽培槽である養液保持体であって，水平位置に配置した複数の該養液保持体について，該養液保持体の側面部もしくは底面部に養液を流すことができる複数の連通管を形成したことを特徴とする連通管を有する養液保持体．